(57)【特許請求の範囲】
【請求項１】
下側支持部に取付下地への第１固定部を設けると共に、
上側支持部に固定対象である他物を固定自在な第２固定部を設け、
前記上側支持部を、前記第２固定部を上部に形成した第１分割支持部材と、その第１分割支持部材を上端部に載置する第２分割支持部材とに互いに第２ボルトを介して上下連結自在に分割構成し、
前記第１分割支持部材における前記第２固定部には、他物を固定する締結ボルトの挿通孔を、横方向に沿った長孔に形成し、
前記第１分割支持部材と前記第２分割支持部材の互いに連結する第３連結部と第４連結部の少なくともいずれか一方に、前記挿通孔とは異なった方向の横方向に沿った第２ボルト挿通用長孔を形成し、
第１分割支持部材が第２分割支持部材に載置した状態で横方向に移動調整自在に構成してある他物固定具。
【請求項２】
前記下側支持部の上端部と、前記上側支持部の下端部とに、相互にボルトを介して連結自在な連結部を設け、
前記連結部の内、前記下側支持部の第１連結部と、前記上側支持部の第２連結部の少なくともいずれか一方に、上下に沿ったボルト挿通用長孔を形成してある請求項１に記載の他物固定具。
【発明の詳細な説明】
【技術分野】
【０００１】
本発明は、下端部に取付下地への第１固定部を設け、上端部に固定対象の他物を固定する第２固定部を設けてある他物固定具に関する。
【背景技術】
【０００２】
従来、他物固定具は、図１６に示すように、下端部に取付下地２への第１固定部９を設け、上端部に固定対象である他物３を固定する第２固定部１０を設け、前記第１固定部９を備えた下側支持部１２と、第２固定部１０を備えた上側支持部１３とを設け、前記下側支持部１２を縦筒形状に形成すると共に、その下側支持部１２の筒内の底板部に前記第１固定部９を形成し、前記下側支持部１２の筒周面部に前記第１固定部９に対する固定操作用の第１開口部１６を形成し、前記上側支持部１３に前記第１固定部９を覆う屋根部１５を設けると共に、その屋根部１５に他物３を締結ボルト１９とナットＮで連結固定するための挿通孔を設けて前記第２固定部１０を形成し、前記下側支持部１２の上端部と、前記他物支持部１３の下端部とに、相互に第１ボルト２０を介して連結自在な連結部２１を設けてあった（例えば、特許文献１参照）。
【先行技術文献】
【特許文献】
【０００３】
【特許文献１】特開２００９−１６７７５４号公報
【発明の概要】
【発明が解決しようとする課題】
【０００４】
上述した従来の他物固定具では、下側支持部１２と上側支持部１３との相対位置が動かないように連結してあり、固定すべき他物３に対する上下高さを微調整できなかったり、取付下地の傾斜に対応して他物固定姿勢を調整することは困難であった。
【０００５】
従って、本発明の目的は、上記問題点を解消し、取付下地に対する他物の固定する相対高さや相対姿勢を微調整できるようにするところにある。
【課題を解決するための手段】
【０００６】
本発明の第１の特徴構成は、下側支持部に取付下地への第１固定部を設けると共に、上側支持部に固定対象である他物を固定自在な第２固定部を設け、前記上側支持部を、前記第２固定部を上部に形成した第１分割支持部材と、その第１分割支持部材を上端部に載置する第２分割支持部材とに、互いに第２ボルトを介して上下連結自在に分割構成し、前記第１分割支持部材における前記第２固定部には、他物を固定する締結ボルトの挿通孔を、横方向に沿った長孔に形成し、前記第１分割支持部材と前記第２分割支持部材の互いに連結する第３連結部と第４連結部の少なくともいずれか一方に、前記挿通孔とは異なった方向の横方向に沿った第２ボルト挿通用長孔を形成し、第１分割支持部材が第２分割支持部材に載置した状態で横方向に移動調整自在に構成したところにある。
【０００７】
本発明の第１の特徴構成によれば、上側支持部を、第１分割支持部材と第２分割支持部材とに分割構成し、第２ボルトを介してそれらを連結する際に、第１分割支持部材と第２分割支持部材の互いに連結する第３連結部と第４連結部の少なくともいずれか一方に、横方向に沿った第２ボルト挿通用長孔を形成してあるために、第１分割支持部材と第２分割支持部材の横方向の相対的位置が調整できる。
従って、他物の取付位置が横方向にも微調整できる。
【０００８】
【０００９】
本発明の第２の特徴構成は、前記下側支持部の上端部と、前記上側支持部の下端部とに、相互にボルトを介して連結自在な連結部を設け、前記連結部の内、前記下側支持部の第１連結部と、前記上側支持部の第２連結部の少なくともいずれか一方に、上下に沿ったボルト挿通用長孔を形成したところにある。
【００１０】
本発明の第２の特徴構成によれば、下側支持部の第１連結部と、上側支持部の第２連結部の少なくともいずれか一方に、上下に沿ったボルト挿通用長孔を形成してあることで、ボルトにより下側支持部と上側支持部との上下相対高さの微調整ができる。
従って、取付下地に対する他物の固定姿勢を調整できる。
【００１１】
【００１２】
【図面の簡単な説明】
【００１３】
【図１】他物固定具による固定状態を示す全体斜視図である。
【図２】全体斜視図である。
【図３】分解斜視図である。
【図４】上側支持部の分解斜視図である。
【図５】下側支持部の分解斜視図である。
【図６】要部斜視図である。
【図７】要部斜視図である。
【図８】組付け状態の縦断面図である。
【図９】別実施形態の要部斜視図である。
【図１０】参考例の分解斜視図である。
【図１１】別実施形態の要部分解斜視図である。
【図１２】別実施形態の要部の横断平面図である。
【図１３】別実施形態の要部の横断平面図である。
【図１４】別実施形態の要部分解斜視図である。
【図１５】図１４の組み立て状態を示す斜視図である。
【図１６】従来例の縦断面図である。
【発明を実施するための形態】
【００１４】
以下に本発明の実施の形態を図面に基づいて説明する。尚、図面において従来例と同一の符号で表示した部分は、同一又は相当の部分を示している。
【００１５】
〔第１実施形態〕
図１〜図８に示すように、本発明の他物固定具の一実施形態品（以後、単に固定台１という）を使用して、屋上のコンクリート床やベランダ等の建築物（取付下地２の一例）の上に、ソーラーパネル４やその固定枠５等の固定対象部材（他物の一例）３を固定してある状況を示している。
【００１６】
前記コンクリート床２の上には、防水シート６が敷設してある。
当該実施形態においては、コンクリート床２の全域に防水シート６が敷設してある状態で、その上に、当該固定台１を設置して、固定対象部材３を固定台１に固定してある例を示している。従って、固定台１を設置した後、その周囲に、図８に示すように、防水シート６と固定台１の外周部にわたる状態に立上り防水層７を設置し、その上端部をバンド２９で縛ると共に、シール剤３０を塗布して雨水の浸入を防止して、固定台設置部分から下方への漏水防止を図っている。
コンクリート床２における固定台設置箇所には、予め、アンカーボルト８が設置してあり、このアンカーボルト８に固定台１が固定されている。
【００１７】
前記固定対象部材３は、形鋼をトラス構造に組みあげた固定枠５と、固定枠５の上面に沿って取り付けられたソーラーパネル４とを備えて構成してあり、固定枠５が、固定台１にボルト１９とナットＮとで固定されている。
前記固定枠５は、ソーラーパネル４を傾斜姿勢に支持する構造に形成してあり、ソーラーパネル４が効率よく太陽光を受光できるように構成してある。
【００１８】
前記固定台１は、図２〜図８に示すように構成してある。
つまり、下端部にコンクリート床２への第１固定部９を設け、上端部に固定対象部材３の固定枠５を固定する第２固定部１０を設け、全体を鉄系材等の金属製で形成して、第１固定部９を備えた下側支持部１２と、第２固定部１０を備えた上側支持部１３とに上下に分割構成し、下側支持部１２の上端部と、上側支持部１３の下端部とに、相互に第１ボルト２０を介して連結自在な連結部２１を設け、連結部２１の内、下側支持部１２の第１連結部３１に上下に沿った第１ボルト挿通用長孔３３を形成し、上側支持部１３の第２連結部３２に、丸孔の第１ボルト挿通孔３４を形成して、第１ボルト２０及びナットＮによる締め付けにより、下側支持部１２に対する上側支持部１３の相対連結姿勢が、上下及び傾斜自在になるように構成してある。
尚、第１連結部３１と第２連結部３２の互いに接触する面には、リン酸亜鉛の被覆層や、凹凸の溝、多数の凸部等を形成して滑り止め機能を持たせてある。
【００１９】
下側支持部１２は、コンクリート床に埋設されたアンカーボルト８が下方から挿通する第３ボルト挿通孔３５を設けた第１固定部９を、その上方からアンカーボルト８に螺合させるナットＮの固定操作ができるように形成した接地部材３６と、接地部材３６の上方を覆う屋根部３７を備えると共に、第１連結部３１を屋根部３７の上に備えた上部支持部材３８とに、互いに連結自在に分割構成してある。
【００２０】
上部支持部材３８は、図３、図５に示すように、上端側に第１連結部３１を突出させて、横断面視で略４角形の縦筒形状の筒本体部３９と、その筒本体部３９の上端部に屋根部３７とを組みつけて溶接により一体化すると共に、筒本体部３９の下端部に接地部材３６との下部連結部４０を設け、その下部連結部４０を略８角形の筒状に形成してある。
下部連結部４０には、図５〜図７に示すように、４箇所の角部に第４ボルト挿通孔４１を設け、その第４ボルト挿通孔４１に対応する接地部材３６の第４ボルト挿通孔４１の内側には、ナットＮを溶接して一体化してある。従って、筒本体部３９と接地部材３６の第４ボルト挿通孔４１に第４ボルト４２を挿通させてナットＮに螺合させれば、下側支持部１２と接地部材３６とは一体に連結される。
【００２１】
尚、図２及び図３、図８に示すように、筒本体部３９を接地部材３６に連結した状態では、それらの凹凸形状を全周に亘って覆う４角筒状のシャッター部材５９を、上下摺動自在に外嵌させてあり、そのシャッター５９の外側から立上り防水層７を設置する。
【００２２】
尚、接地部材３６は、図３、図５〜図８に示すように、筒本体部３９に内嵌する筒部５６と接地プレート部５７とから形成され、接地プレート部５７における筒部内側部５７Ａと筒部外側部５７Ｂとに形成される第３ボルト挿通孔３５は、アンカーボルト８を挿通させるが、筒部外側部５７Ｂの第３ボルト挿通孔３５には、皿ビスを挿通させても良い。
【００２３】
図２〜図４、図８に示すように、上側支持部１３を、第２固定部１０を上部に形成した第１分割支持部材４３と、第２連結部３２を下部に形成した第２分割支持部材４４とに互いに第２ボルト４５を介して上下連結自在に分割構成し、第１分割支持部材４３と第２分割支持部材４４の互いに連結する第３連結部４６に、丸孔の第２ボルト挿通孔４８を設け、第４連結部４７に、横方向に沿った第２ボルト挿通用長孔４９を形成してあり、第２ボルト４５を第２ボルト挿通孔４８と第２ボルト挿通用長孔４９に挿通させてナットＮで締め付ければ、第１分割支持部材４３が第２分割支持部材４４に対して横方向に移動調整できる。
【００２４】
前記上側支持部１３における第２固定部１０には、他物３を固定する締結ボルト１９の挿通孔５０を長孔に形成し、締結ボルト１９及びナットＮを介して他物３を第２固定部１０と共に共締めする滑り止め金属板５１を、第２固定部１０の上に介在可能に設け、第２固定部１０と滑り止め金属板５１との互いの接触面を、リン酸亜鉛の被覆された高摩擦面に加工してある。
尚、締結ボルト１９を第２固定部１０の下方から挿通孔５０に挿通させるについて、複数の締結ボルト１９を挿通させて、それらのボルト頭が回らないように回り止め溝５２を設けた座金部材５３を、第２固定部１０の下面にあてがう。
【００２５】
前記上側支持部１３における第２分割支持部材４４の周側部に、前記第２固定部１０に対する固定操作用及び第１、第２連結部３１，３２に対する連結操作用の開口部５４を形成してある。
【００２６】
〔別実施形態〕
以下に他の実施の形態を説明する。
【００２７】
〈１〉  第１ボルト挿通用長孔３３は、第２連結部３２に形成して、第１ボルト挿通孔３４を第１連結部３１に形成してあってもよく、また、第１連結部３１と第２連結部３２の双方に、第１ボルト挿通用長孔３３を形成してあっても良い。
〈２〉  第２ボルト挿通用長孔４９は、第３連結部４６に形成して、第２ボルト挿通孔４８を第４連結部４７に形成してあっても良く、また、第３連結部４６と第４連結部４７の双方に、第２ボルト挿通用長孔４９を形成してあっても良い。
〈３〉  上側支持部１３は、第１分割支持部材４３と第２分割支持部材４４とに上下に分割構成したが、一体形成した物でも良い。
〈４〉  第１固定部９を備えた下側支持部１２と、第２固定部１０を備えた上側支持部１３とに上下に分割構成し、下側支持部１２の上端部と、上側支持部１３の下端部とに、相互に第１ボルト２０を介して連結自在な連結部２１を設け、連結部２１の内、下側支持部１２の第１連結部３１と上側支持部１３の第２連結部３２の少なくとも一方に、上下に沿った第１ボルト挿通用長孔３３を形成し、他方に丸孔の第１ボルト挿通孔３４を形成して、第１ボルト２０及びナットＮによる締め付けにより、下側支持部１２に対する上側支持部１３の相対連結姿勢が、上下及び傾斜自在になるように構成し、上側支持部１３を、第２固定部１０を上部に形成した第１分割支持部材４３と、第２連結部３２を下部に形成した第２分割支持部材４４とに互いに第２ボルト４５を介して上下連結自在に分割構成し、第１分割支持部材４３と第２分割支持部材４４の互いに連結する第３連結部４６と第４連結部４７の少なくとも一方に、横方向に沿った第２ボルト挿通用長孔４９を形成し、他方に丸孔の第２ボルト挿通孔４８を設けてあり、第２ボルト４５を第２ボルト挿通孔４８と第２ボルト挿通用長孔４９に挿通させてナットＮで締め付ければ、第１分割支持部材４３が第２分割支持部材４４に対して横方向に移動調整できるように構成してある他物固定具であって、下側支持部１２に第１固定部９の固定操作用の開口部があれば、下側支持部１２は、第１固定部９を一体に設けてある場合もよい。
〈５〉  滑り止め金属板５１は、特に設けない場合があっても良い。つまり、第２固定部１０に直接他物３を固定する場合も良い。
〈６〉  前記固定枠５を、Ｈ形鋼の例で示したが、断面コの字形の溝形鋼、チャンネル材、その他成型材や平板等を組合せてもよい。
〈７〉  前記屋根部３７には、傾斜を設けてあったり、中央部が盛り上がったムクリを形成して、排水性を向上させてあっても良い。
〈８〉  前記高摩擦層を、前記リン酸亜鉛の被覆層で形成する代わりに、硬くて細かい粒状物を用いたブラスト処理により目荒らしを行ってあったり、凹凸の溝や多数の凸部等を形成してあってもよい。
〈９〉  筒本体部３９と下部連結部４０との境界部は、図６、図７に示すように、下向き開口部５５を形成する構造のほかに、図９に示すように、斜めにカットされ、そのカットされた部分を閉じる斜面部５８を設けてあっても良い。
〈１０〉  前記筒本体部３９は、４角筒以外の多角筒であってもよく、又、角筒状以外に円筒状であってもよい。
〈１１〉  第１連結部３１と第２連結部３２を、図１４、図１５に示すように、補強のために一部を幅広の板部６０に形成してあっても良い。
【００２８】
〔参考例〕
図１０に示すように、取付下地２への第１固定部９を備えた接地部材３６と、固定対象である他物３を固定する第２固定部１０を備えた上側支持部１３とを設け、接地部材３６を縦筒形状に形成すると共に、その接地部材３６の上方開放形の筒内の底板部に第１固定部９を設けて、第１固定部９を上方から固定操作自在に形成し、上側支持部１３に第１固定部９を覆う屋根部３７を設けると共に、接地部材３６の上端部と、上側支持部１３の下端部とに、相互に第１ボルト２０を介して連結自在な連結部２１を設け、連結部２１の内、接地部材３６の第１連結部３１に、上下に沿った第１ボルト挿通孔３４を形成し、前記上側支持部１３の第２連結部３２に、第１ボルト挿通用長孔３３を形成してある。
【００２９】
前記接地部材３６は、８角筒状の筒部５６と、第１固定部９を形成する接地プレート部５７とから形成してある。
前記上側支持部１３は、筒本体部３９と屋根部３７とで形成してある。
【００３０】
〔別実施形態〕
１．  前記上側支持部１３を、図１１に示すように、第２固定部１０を上部に形成した第１分割支持部材４３と、第２連結部３２を下部に形成した第２分割支持部材４４とに互いに第２ボルト４５を介して上下連結自在に分割構成し、第１分割支持部材４３と第２分割支持部材４４の互いに連結する第３連結部４６に、丸孔の第２ボルト挿通孔４８と横方向に沿った第２ボルト挿通用長孔４９を形成してあり、第２ボルト４５を第２ボルト挿通孔４８と第２ボルト挿通用長孔４９に挿通させてナットＮで締め付ければ、第１分割支持部材４３が第２分割支持部材４４に対して横方向に移動調整できる。
尚、前記第３連結部４６と第４連結部４７の少なくとも一方に、長孔を形成してあればよく、両方に長孔を設けてあっても良い。
２．  図１０の連結部２１または、図２の下部連結部４０における横断面形状は、８角筒状に代えて、図１２、図１３に示すように、第１ボルト挿通孔３４及び第１ボルト挿通用長孔３３を形成する部分のみを、凹入させて、ボルト頭が外に突出しないように凹部を形成してあっても良い。
【００３１】
尚、上述のように、図面との対照を便利にするために符号を記したが、該記入により本発明は添付図面の構成に限定されるものではない。また、本発明の要旨を逸脱しない範囲において、種々なる態様で実施し得ることは勿論である。
【符号の説明】
【００３２】
２      取付下地
３      他物
９      第１固定部
１０    第２固定部
１２    下側支持部
１３    上側支持部
２０    第１ボルト
２１    連結部
３１    第１連結部
３２    第２連結部
３３    第１ボルト挿通用長孔
３６    接地部材
３７    屋根部
３８    上部支持部材
３９    筒本体部
４０    下部連結部
４３    第１分割支持部材
４４    第２分割支持部材
４５    第２ボルト
４６    第３連結部
４７    第４連結部
４９    第２ボルト挿通用長孔
５０    挿通孔
５１    滑り止め金属板
５４    開口部
【図１】
0005956019.tif 000002
【図２】
0005956019.tif 000003
【図３】
0005956019.tif 000004
【図４】
0005956019.tif 000005
【図５】
0005956019.tif 000006
【図６】
0005956019.tif 000007
【図７】
0005956019.tif 000008
【図８】
0005956019.tif 000009
【図９】
0005956019.tif 000010
【図１０】
0005956019.tif 000011
【図１１】
0005956019.tif 000012
【図１２】
0005956019.tif 000013
【図１３】
0005956019.tif 000014
【図１４】
0005956019.tif 000015
【図１５】
0005956019.tif 000016
【図１６】
0005956019.tif 000017